(57)【要約】  必要なメンテンナンスを漏れなく、効率よく実行可能な自動分析装置が実現される。動作制御部３は、検体容器搬送機構２、試薬容器搬送機構２６、反応容器搬送機構９、検体分注機構５、試薬分注機構８を有する分析モジュール（ＩＳＥ、ＡＵ１、ＡＵ２）、及び表示部１８の動作を制御し、反応容器６に収容された検体の分析を行う。動作制御部３、分析モジュール（ＩＳＥ、ＡＵ１、ＡＵ２）のメンテナンス項目毎の有効期限及びメンテナンス項目毎の実行時刻をメモリ２５に記憶し、有効期限に基づく実行優先度の識別表示と共に実行時刻を表示部８に表示し、操作入力部２１から入力された操作者からの指示に従って、メンテナンス項目の表示順序を実行優先度に基づき並び替えて表示部８に表示させる。
2019111790.tif 000002
【特許請求の範囲】
【請求項１】
検体容器を搬送する検体容器搬送機構と、
試薬容器を搬送する試薬容器搬送機構と、
反応槽を有し、反応容器を搬送する反応容器搬送機構と、
検体を上記反応容器に分注する検体分注機構と、
試薬を上記反応容器に分注する試薬分注機構と、
表示部と、
操作入力部と、
メモリと、
上記検体容器搬送機構、上記試薬容器搬送機構、上記反応容器搬送機構、上記検体分注機構、上記試薬分注機構を有する分析モジュール、及び上記表示部の動作を制御し、上記反応容器に収容された検体の分析を行う動作制御部と、
を備え、上記動作制御部は、上記分析モジュールのメンテナンス項目毎の有効期限及びメンテナンス項目毎の実行時刻を上記メモリに記憶し、上記有効期限に基づく実行優先度の識別表示と共に上記実行時刻を上記表示部に表示し、上記操作入力部から入力された操作者からの指示に従って、上記メンテナンス項目の表示順序を前記実行優先度に基づき並び替えて上記表示部に表示させることを特徴とする自動分析装置。
【請求項２】
請求項１に記載の自動分析装置において、
上記動作制御部は、上記表示部に表示されたメンテナンス項目の順序に従って、上記検体容器搬送機構、上記試薬容器搬送機構、上記反応容器搬送機構、上記検体分注機構、又は上記試薬分注機構を制御し、上記メンテナンス項目を実行させることを特徴とする自動分析装置。
【請求項３】
請求項２に記載の自動分析装置において、
上記動作制御部は、上記メンテナンス項目のうち、有効期限が過ぎたメンテナンス項目の表示方法は、他のメンテナンス項目の表示方法とは異なることを特徴とする自動分析装置。
【請求項４】
請求項３に記載の自動分析装置において、
上記動作制御部は、上記操作入力部から入力された操作者からの指示に従って、自動分析装置の立上げ時に上記メンテナンス項目を実行するか、または、自動分析装置の立ち下げ時に上記メンテナンス項目を実行することを特徴とする自動分析装置。
【請求項５】
請求項３に記載の自動分析装置において、
上記動作制御部は、上記メンテンナンス項目のうち、操作者の動作が必要な場合は、上記表示部に操作者の動作要求を表示することを特徴とする自動分析装置。
【請求項６】
請求項１、２、３、４及び５のうちのいずれか一項に記載の自動分析装置において、
上記反応容器を搬送する反応容器搬送機構、試薬容器搬送機構、反応容器に検体を分注する検体分注機構、及び反応容器に試薬を分注する試薬分注機構を有する分析モジュールを複数個有することを特徴とする自動分析装置。
【請求項７】
請求項６に記載の自動分析装置において、
上記動作制御部は、上記分析モジュール毎に、有効期限が過ぎたメンテナンス項目の表示方法を、他のメンテナンス項目の表示方法とは異ならせて上記表示部に表示させることを特徴とする自動分析装置。
【請求項８】
請求項１に記載の自動分析装置において、
複数の分析モジュールを有し、
上記動作制御部は、上記メンテナンス項目毎に各分析モジュールが実行できるメンテナンス項目かを操作者が識別できるよう印を付けて表示し、上記メンテナンス項目の表示順序を上記印に基づき並び替えて上記表示部に表示させることを特徴とする自動分析装置。
【請求項９】
請求項１に記載の自動分析装置において、
複数の分析モジュールを有し、
上記動作制御部は、複数の分析モジュールに共通の同一のメンテナンス項目に対し、上記有効期限及び上記実行時刻を分析モジュール毎に上記メモリに記憶することを特徴とする自動分析装置。
【発明の詳細な説明】
【技術分野】
【０００１】
本発明は、試薬を用いて検体を分析する自動分析装置に関する。
【背景技術】
【０００２】
自動分析装置においては、検体容器に収容された検体を検体分注機構により吸引し、反応容器に吐出する。また、試薬容器に収容された試薬を試薬分注機構により、反応容器に吐出し、反応浴槽内に配置された反応容器に吐出し、試薬と検体とを反応させ、光源ランプから光を反応液に照射し、光度計を用いて検体を分析する。【０００３】
自動分析装置には、試薬、反応容器、光源ランプ、システム水等の消耗品が存在し、適切な時期に新たなものと交換する必要がある。【０００４】
特許文献１には、分析装置において、消耗品の使用度を管理し、使用度と使用限度値とに基づき、交換予定日を算出し、ディスプレイに表示する技術が開示されている。
【先行技術文献】
【特許文献】
【０００５】
【特許文献１】特開２０１４−３２０２２号公報
【発明の概要】
【発明が解決しようとする課題】
【０００６】
自動分析装置においては、消耗品の交換の他に、一定の精度を維持するために、装置のメンテナンスを行う必要がある。【０００７】
つまり、自動分析装置を運用する上で、測定結果の信頼性を保つには、自動分析装置の分析精度を維持する必要がある。自動分析装置を運用するユーザは、メンテナンスを行い、測定結果の信頼性を保っている。メンテナンスには、数日や数か月定期的に行うメンテナンスや、自動分析装置に異常が発生した場合に行うメンテナンスなどがある。定期的に行うメンテナンスは、あらかじめ有効期限を設定し、有効期限が過ぎたメンテナンスや、有効期限に近づいたメンテナンスはユーザに推奨を知らせる必要がある。【０００８】
自動分析装置のメンテナンスとしては、例えば、反応槽の洗浄作業、反応槽水の交換作業、検体分注機構や試薬分注移行のプローブの洗浄作業、ＲＦＩＤ読み取り装置のチェック作業等がある。【０００９】
上述したように、自動分析装置のメンテナンスも、個別に実施時期を管理する必要があるが、その管理が煩雑であった。【００１０】
特許文献１に記載の技術を自動分析装置におけるメンテナンス時期の実施に適用したとしても、メンテナンスの有効期限、有効期限に近づいたメンテナンス、有効期限が過ぎたメンテナンスをディスプレイに表示するに過ぎない。【００１１】
自動分析装置において、消耗品の交換作業は短時間で終了可能であるが、メンテナンスに必要な作業時間は、消耗品の交換作業より長時間が必要である。このため、期限が近づいたメンテナンスや期限が過ぎたメンテンナンスが複数存在する場合には、どのメンテナンスを優先して実行するか、分析ユニットが複数存在する場合は分析ユニット毎に実行順序を考慮するかを決定して、効率良く、メンテナンスを実行する必要がある。【００１２】
また、メンテナンスには、自動分析装置が自動的に実行可能なものと、操作者が一部介入しなければならないものとが混在する。【００１３】
このため、自動分析装置において、複数のメンテナンスを漏れなく、かつ、効率よく実行することが求められている。【００１４】
本発明の目的は、必要なメンテナンスを漏れなく、効率よく実行可能な自動分析装置を実現することである。また、実行すべきメンテナンスの優先順位を設定可能であり、かつ、メンテナンスの実行に操作者が介入する必要があるときは、それをサポートし、必要なメンテンナンスを漏れなく、効率よく実行可能な自動分析装置を実現することである。
【課題を解決するための手段】
【００１５】
上記目的を達成するため、本発明は次のように構成される。【００１６】
自動分析装置において、検体容器を搬送する検体容器搬送機構と、試薬容器を搬送する試薬容器搬送機構と、反応槽を有し、反応容器を搬送する反応容器搬送機構と、検体を上記反応容器に分注する検体分注機構と、試薬を上記反応容器に分注する試薬分注機構と、表示部と、操作入力部と、メモリと、上記検体容器搬送機構、上記試薬容器搬送機構、上記反応容器搬送機構、上記検体分注機構、上記試薬分注機構を有する分析モジュール、及び上記表示部の動作を制御し、上記反応容器に収容された検体の分析を行う動作制御部と、を備え、上記動作制御部は、上記分析モジュールのメンテナンス項目毎の有効期限及びメンテナンス項目毎の実行時刻を上記メモリに記憶し、上記有効期限に基づく実行優先度の識別表示と共に上記実行時刻を上記表示部に表示し、上記操作入力部から入力された操作者からの指示に従って、上記メンテナンス項目の表示順序を前記実行優先度に基づき並び替えて上記表示部に表示させる。
【発明の効果】
【００１７】
必要なメンテナンスを漏れなく、効率よく実行可能な自動分析装置を実現することができる。また、実行すべきメンテナンスの優先順位を設定可能であり、かつ、メンテナンスの実行に操作者が介入する必要があるときは、それをサポートし、必要なメンテンナンスを漏れなく、効率よく実行可能な自動分析装置を実現することができる。
【図面の簡単な説明】
【００１８】
【図１】本発明が適用される自動分析装置の全体構成図である。
【図２Ａ】容器に貼付されたバーコードラベルを示す図である。
【図２Ｂ】容器に貼付されたバーコードラベルを示す図である。
【図３】メンテナンス処理の動作フローチャートである。
【図４】自動分析装置のモジュール選択画面を示す図である。
【図５】メンテナンス管理情報の表示例を示す図である。
【図６】メンテナンス状態表示画面の例を示す図である。
【図７】メンテナンス処理時刻の並び替えを行った画面の一例を示す図である。
【図８】メンテナンス処理実行スケジュール画面の一例を示す図である。
【図９】メンテナンス実行処理の詳細フローチャートである。
【図１０】操作者が介入すべき場合の表示画面例を示す図である。
【図１１】メンテナンス処理時刻の並び替えを行った画面の他の例を示す図である。
【図１２】メンテナンス処理実行スケジュール画面の他の例を示す図である。
【図１３】メンテナンス実行スケジュール画面でありパイプ設定の例を示す図である。
【図１４】パイプ設定の場合におけるメンテナンス処理実行スケジュール画面の例を示す図である。
【発明を実施するための形態】
【００１９】
以下、添付図面を参照して本発明の実施形態を説明する。
【実施例】
【００２０】
図１は、本発明が適用される自動分析装置の全体構成図である。図１において、検体を収容した多数の検体容器１が検体搬送ディスク（検体容器搬送機構）２に配列されている。検体分注機構５の吸排ノズルは検体用シリンジポンプ７に接続されている。シリンジポンプ７および検体分注機構５の動作は、インターフェイス４を介して各機構部の動作制御および測定データの演算をするマイクロコンピュータ３によって制御される。よって、マイクロコンピュータ３は、分析及び動作制御を行う動作制御部である。【００２１】
反応浴槽（反応槽）を有する反応容器搬送機構９に対して回転可能に設けられた反応テーブル１７上には多数の反応容器６が配列され、反応ラインを形成している。反応容器搬送機構９の反応浴槽へは恒温液供給部１０から摂氏３７度に維持された恒温液が供給される。多波長光度計は光源１４と多波長分光器１５を備えており、光源１４からの光ビームが反応容器６の列が横切るように反応テーブル１７が回転移送される。使用済の反応容器６は洗浄機構１９によって洗浄され再使用に供される。【００２２】
撹拌機構１３は反応容器６に吐出された検体とその分析項目に対応する試薬液とを混合する。多波長分光器１５によって得られる反応液に基づく測定信号は、Ａ／Ｄコンバータ１６によってアナログ信号からディジタル信号に変換され、マイクロコンピュータ３に入力される。【００２３】
試薬用の試薬ディスク（試薬搬送機構）２６には、各分析項目に対応した多種の試薬ボトル（試薬容器）１２が円周に沿ってそれぞれ設置される。つまり、ディスク２６は選択的に回転可能な試薬ボトル収納部である。ディスク２６の近傍にはバーコード読取装置２３が配設される。試薬分注機構８は試薬分注ピペッタおよび試薬用シリンジポンプ１１を含む。【００２４】
試薬分注ピペッタを有する試薬分注機構８は、吸入位置に停止された試薬ボトル１２内の試薬液を吸排ノズル内に所定量吸入保持し、それらの吸排ノズルを反応容器６の列上に回動し試薬受入位置に停止している反応容器６に、保持していた試薬液を吐出する。この際に分注される試薬液は、各反応容器６に割り当てられている分析項目に対応した種類のものである。【００２５】
それぞれの試薬ボトル１２には、図２Ａに示すように、その外壁にバーコードが印刷された試薬バーコードラベル２２が貼付けされている。このバーコードラベル２２に印刷されたバーコード２２として表示される情報は、例えば、シーケンス番号からなる各ボトル固有の試薬ボトルコード、そのボトルのサイズ、その試薬液の有効期限、第１試薬か第２試薬か第３試薬かを示す試薬分注順番、その試薬液の最大分析可能回数、１回の分注使用量を示す試薬分注量、製造ロット番号などである。【００２６】
図１において、各試薬ボトル１２からバーコード読取装置２３によって読み取られた試薬情報は、記憶部（メモリ）２５又はマイクロコンピュータ３の各々対応するメモリエリアに記憶される。試薬ボトル１２が試薬ディスク２６に収納されたのに伴って試薬情報がバーコード読取装置２３によって読み取られるが、その際に、各試薬ディスク２６に設けられている回転角検知部によって各試薬ボトル１２のセット位置を示す信号が出力され、インターフェイス４を介してマイクロコンピュータ３に入力される。試薬情報とボトルセット位置と分析項目は対応づけて記憶される。【００２７】
自動分析装置の操作者は、ＣＲＴ（表示部）１８の画面とキーボード（操作入力部）２１を使って各種情報を入力（指示）することができる。分析項目の測定結果は、プリンタ２７およびＣＲＴ１８に表示できる。ＵＳＢ２４の情報はその読取装置によって読み取られ、記憶部２５又はマイクロコンピュータ３の該当するメモリエリアに記憶される。なお、表示部１８はＣＲＴに限らず、液晶等を使用可能である。【００２８】
なお、操作入力部２１は、キーボード以外にマウスも備えることができる。【００２９】
ＵＳＢ２４に記憶されている情報は、例えば次のものである。すなわち、５桁で表示される分析項目コード、その分析項目で共通に使用されるパラメータ、試薬ボトルごとに別々に記憶されるパラメータなどである。そのうち、分析項目で共通に使用されるパラメータとしては、光度計で使用する波長、サンプル量、キャリブレーション方法、標準液濃度、標準液本数、分析異常のチェック限界値、などである。また、試薬ボトル１２ごとのパラメータとしては、試薬種別、試薬分注順番、試薬ボトルコード、試薬液容量、試薬分注量、最大分析可能回数、試薬製造年月日などである。【００３０】
記憶部２５には、ＵＳＢ２４から読み取られた情報の他に、自動分析装置の各機構部の動作条件、各分析項目の分析パラメータ、各試薬のボトル管理を行う判定論理、試薬ボトルから読み取られた最大分析可能回数、分析結果などが記憶される。【００３１】
試薬情報は試薬ボトル１２の納入時にメーカによって供されるフロッピーディスク等の記録媒体によって提供される。フロッピーディスク等によって試薬情報が準備されない場合は、試薬ボトル１２に付属されている目視確認用紙に記載された情報を、操作者がＣＲＴ１８の画面とキーボード２１を使用して自動分析装置に入力することもできる。【００３２】
図２Ｂに示すように、検体容器１には、外壁にバーコードが印刷された検体バーコードラベル５０が貼付けされている。このバーコードとして表示される情報は、例えば、検体を一意に決定する検体識別番号である。この番号は、バーコード読取装置２８により読み取られ、検体搬送ディスク２の回転角度検知により、検体位置と検体識別番号の対応が認識される。【００３３】
一方、検体識別番号に対応した分析項目はあらかじめキーボード２１とＣＲＴ１８により入力され記憶されているので、先のバーコード読み取り時に結局、検体位置と検体識別番号と分析項目とが対応づけられて記憶される。また、検体識別番号の上位番号によりその検体が標準検体なのかコントロール検体なのか一般検体なのかが一般に識別可能となっている。【００３４】
自動分析装置全体の分析は、サンプリング、試薬分注、撹拌、測光、反応容器の洗浄、濃度換算等のデータ処理の順番に実施される。【００３５】
試料（検体）を入れた検体容器１は、検体搬送ディスク２上に複数個設置されている。検体搬送ディスク２は、コンピュータ３によりインターフェイス４を介して制御される。また、検体搬送ディスク２は、検体容器１の外壁のバーコード５０をバーコード読取装置２８で読ませて、検体と分析項目を対応づける。その後、分析される試料の順番に従って検体分注機構５のプローブの下まで回転移動し、所定の検体容器１の検体が、検体分注機構５に連結された検体用ポンプ７の動作により反応容器６の中に所定量分注される。【００３６】
検体が分注された反応容器６は、反応容器搬送機構９の反応浴槽の中を第１試薬添加位置まで移動する。移動した反応容器６には、試薬分注機構８の吸排ノズルに連結された試薬用ポンプ１１の動作により試薬容器１２から吸引された試薬が所定量加えられる。【００３７】
第１試薬添加後の反応容器６は、撹拌機構１３の位置まで移動し、最初の撹拌が行われる。試薬ディスク２６に第４試薬までセットされている場合には、このような試薬の添加−撹拌が、第１試薬〜第４試薬について行われる。【００３８】
内容物が撹拌された反応容器６は光源１４から発した光束が通過され、この時の吸光度が多波長分光器１５により検知される。検知された吸光度信号はＡ／Ｄコンバータ１６及びインターフェイス４を介してコンピュータ３に送られ、検体の濃度に変換される。濃度変換されたデータは、インターフェイス４を介してプリンタ２７から印字出力され、ＣＲＴ１８の画面に表示される。測光の終了した反応容器６は、洗浄機構１９の位置まで移動し、容器洗浄ポンプ（図示せず）により内部を排出後、洗浄液で洗浄され、次の分析に供される。【００３９】
図３は、自動分析装置のメンテナンス開始から終了までの全体動作フローを示す図である。図３に示した動作フローの自動分析装置の動作制御は、コンピュータ（動作制御部）３によって行われる。また、図４は、自動分析装置が複数の動作モジュールを備える例であって、各動作モジュール（（サンプラーユニット（前処理モジュール（ＳＵ））、電解質測定部（ＩＳＥ）、サンプルバッファモジュール（ＭＳＢ）、分析部（ＡＵ１、ＡＵ２））のうちの対象動作モジュールを選択するための画面を示す図である。電解質測定部（ＩＳＥ）、分析部（ＡＵ１、ＡＵ２）は分析モジュールと定義することができる。これら分析モジュールは、それぞれ、検体容器搬送機構２、試薬搬送機構２６、反応容器搬送機構９、検体分注機構５及び試薬分注機構８を有する。また、図５は、画面に表示されるメンテナンス管理情報を示す図であり、図６は、メンテナンス画面を示す図である。【００４０】
なお、図３に示すフローでは、複数のメンテナンスの中で、ＩＳＥモジュール、ＡＵ１モジュールが、メンテナンス対象のＳａｍｐｌｅ  Ｐｒｏｂｅ  Ｗａｓｈ（サンプルプローブ洗浄）メンテナンスを例に説明する。【００４１】
図３において、メンテナンス処理が開始され（ステップＳ１）、図６に示すメンテナンス画面３０１でメンテナンス項目のＳａｍｐｌｅ  Ｐｒｏｂｅ  Ｗａｓｈを選択する（ステップＳ２）。次に、図４に示すメンテナンス選択画面２０１でＳａｍｐｌｅ  Ｐｒｏｂｅ  Ｗａｓｈメンテナンスの実行対象モジュール２０２であるＡＵ１を選択し（ステップＳ３）、実行ボタン２０３（Ｅｘｅｃｕｔｅボタン）を押下して、メンテナンスを実行する（ステップＳ４）。【００４２】
ＡＵ１のＳａｍｐｌｅ  Ｐｒｏｂｅ  Ｗａｓｈメンテナンスが正常に終了すると（ステップＳ５）、Ｓａｍｐｌｅ  Ｐｒｏｂｅ  Ｗａｓｈの対象モジュールＡＵ１のメンテナンス実行時刻を更新する（ステップＳ６）。また、Ｓａｍｐｌｅ  Ｐｒｏｂｅ  Ｗａｓｈの対象モジュールＡＵ１に対してメンテナンス有効期限切れ時刻も更新し（ステップＳ７）、メンテナンス処理は終了する（ステップＳ８）。【００４３】
図５に示したメンテンンス管理情報について説明する。図５において、メンテナンス管理情報として、メンテナンスを実施する項目のメンテナンス項目２１１、メンテナンス項目が実施できるメンテナンス実行モジュール２１２、メンテナンス実行時刻を示すメンテナンス実行時刻２１３、メンテナンス期限のメンテナンス有効期限２１４、メンテナンス有効期限が切れる時刻のメンテナンス有効期限切れ時刻２１５を表示している。【００４４】
メンテナンス項目２１１には、反応槽水交換（Ｉｎｃｕｂａｔｉｏｎ  Ｗａｔｒｅ  Ｅｘｃｈａｎｇｅ）、反応槽洗浄（Ｉｎｃｕｂａｔｉｏｎ  Ｂａｔｈ  Ｃｌｅａｎｉｎｇ）、反応容器交換（Ｃｈａｎｇｅ  Ｒｅａｃｔｉｏｎ  Ｃｅｌｌ）、サンプルプローブ洗浄（Ｓａｍｐｌｅ  Ｐｒｏｂｅ  Ｗａｓｈ）、電解質測測定装置プローブチェック（ＩＳＥ  Ｐｒｏｂｅ  Ｃｈｅｃｋ）、ＲＦＩＤ読み取り装置チェック（ＲＦＩＤ  Ｒｅａｄｅｒ  Ｃｈｅｃｋ）、システム洗浄（Ｓｙｓｔｅｍ  Ｗａｓｈ）がある。【００４５】
メンテナンス実行時刻２１３、メンテナンス有効期限２１４、メンテナンス有効期限切れ時刻２１５は、メンテナンス実行モジュール２１２に示す各モジュールにて記憶し、保持する。メンテナンス実行時刻２１３は、年月日時分秒で管理する。メンテナンス有効期限２１４は、日月年を日で計算に表示する。例えば、１週間に１回定期的にメンテナンスが必要な項目に対しては、７を記憶し、保持する。これは、７日（一週間）を意味する。【００４６】
メンテナンス実行時刻２１３、有効期限２１４及び有効期限切れ時刻２１５は、前処理モジュール（ＳＵ）の場合を示しているが、電解質測定部（ＩＳＥ）、サンプルバッファモジュール（ＭＳＢ）、分析部（ＡＵ１、ＡＵ２）のそれぞれについても、メンテナンス実行時刻、有効期限及び有効期限切れ時刻が表示されている。そして、複数の分析モジュール（ＩＳＥ、ＡＵ１、ＡＵ２）に共通の同一のメンテナンス項目に対して有効期限及び実行時刻を分析モジュール毎にメモリ２５に記憶する。【００４７】
メンテナンス有効期限切れ時刻２１５は、メンテナンス実行時刻２１３からメンテナンス有効期限２１４を合算し、有効期限を記憶する。なお、メンテナンス有効期限２１４には、メンテナンス実施時刻から有効期限までの期限をパーセント換算して表示し、表示したパーセントを超えた場合注意としてユーザに注意喚起の表示を行う。【００４８】
図６のメンテナンス画面３０１には、モジュール表示３０２、メンテナンス項目表示３０３、メンテナンス実施時刻表示３０４、現在のシステム時刻を表示するシステム現在時刻３０５があり、現在時刻３０５はメンテナンス有効期限をチェックするための基準となる。【００４９】
モジュール表示３０２は、モジュール毎に表示され、各モジュールのメンテナンス状態を表示する。正常モジュール状態３１１は、丸印であり、メンテナンス実行後、有効な状態である。【００５０】
有効切れモジュール状態３１２は、黒丸印であり、メンテナンスを実施してから、メンテナンス有効期限が経過した状態を表示する。有効期限切れ注意モジュール状態３１３は、二重丸印であり、ユーザが設定した有効期限に近づいた状態を表示する。有効期限が過ぎると分析結果に影響を与えるため、事前に注意期限を設け、メンテナンス有効期限切れ時刻３０５に近づいた状態である。【００５１】
メンテナンス実施時刻表示３０４は、メンテナンス実行時刻を表示する。複数のモジュールに該当するメンテナンス項目の場合、有効期限切れが近付いた時刻を表示する。例えば、メンテナンス項目表示３０３で、Ｓａｍｐｌｅ  Ｐｒｏｂｅ  Ｗａｓｈの場合、該当するモジュールはＩＳＥ及びＡＵ１である。【００５２】
図５に示すメンテナンス管理情報で、Ｓａｍｐｌｅ  Ｐｒｏｂｅ  ＷａｓｈのＡＵ１モジュールは、有効期限が切れ、メンテナンス実行優先度が高くなっている。それに比べるとＩＳＥは有効期限切れ注意状態のためメンテナンス実行優先度が低くなる。そのため、図６のＤａｔｅ３０４には、優先度が高いＡＵ１のメンテナンス時刻を表示する。【００５３】
図６の有効期限切れ時刻状態３２１は、該当メンテナンス項目で有効期限が切れたモジュールがある場合に表示する。例えば、Ｓａｍｐｌｅ  Ｐｒｏｂｅ  Ｗａｓｈの場合、ＡＵ１モジュールの有効期限が切れたため、有効期限切れ時刻状態３２１を表示する。有効期限切れ注意時刻状態３２２は、該当モジュールに有効期限切れ注意がある場合に表示する。正常時刻状態３２３は、有効期限が切れたモジュール及び有効期限注意がない場合に表示する。有効期限切れ時刻状態３２１、有効期限切れ注意時刻状態３２２及び正常時刻状態３２３は、それぞれを識別する識別表示により表示し、これらと共に実行時刻がメンテナンス画面３０１に表示される。識別表示は、表示の濃淡を異なるものとしたり、表示色を異なるものとして識別できるものであればよい。【００５４】
有効期限切れ時刻状態３２１の表示方法は、有効期限切れ注意時刻状態３２２や正常時刻状態３２３の表示方法と異なるものすることができる。例えば、有効期限切れ時刻状態３２１の表示色を他の状態３２２、３２３とは、異なる色とし、強調するように表示することができる。例えば、有効期限切れ時刻状態３２１の表示色を赤表示として、他は異なる色とする。【００５５】
図６のメンテナンス画面３０１は、一定の周期で、図５のメンテナンス管理情報から情報を取得し表示するため常に最新の情報を表示する。【００５６】
図７は、メンテナンス実施時刻表示４０１を基準に、有効期限切れや有効期限切れ注意の優先順にメンテナンス処理を並び替えた後の画面表示である。【００５７】
図６のメンテナンス項目表示３０３で、（Ｉｎｃｕｂａｔｉｏｎ  Ｗａｔｅｒ  Ｅｘｃｈａｎｇｅ）、（Ｉｎｃｕｂａｔｉｏｎ  Ｂａｔｈ  Ｃｌｅａｎｉｎｇ）、（Ｓａｍｐｌｅ  Ｐｒｏｂｅ  Ｗａｓｈ）、（ＲＦＩＤ  Ｒｅａｄｅｒ  Ｃｈｅｃｋ）は、すべてメンテナンス実施時刻表示３０４の有効期限が切れた状態である。有効期限切れ時刻状態３２１はメンテナンス実行要の優先度が高いものであり、図４のメンテナンス実施時刻表示４０１の先頭から順に表示するようにする。その次に、有効期限切れ注意時刻状態３２２を並べ、最後に正常時刻状態３２３を配置する。その結果が、図７に示した表示である。【００５８】
これにより、ユーザはメンテナンス実行時刻から優先度が高いメンテナンス項目を確認することができ、ユーザは認識しやすくなる。特に、メンテナンス項目が多い場合には、一画面に全てのメンテナンス項目を表示させることが困難な場合があり例えばスクロールバーにより表示情報をスクロールさせなければ全てのメンテナンス項目の優先度を確認できない場合がある。このような場合に、メンテナンス項目を並び替えることでメンテナンスの実行優先度が高いものを上方に集約でき、表示情報をスクロールさせることなくユーザは実行優先度が高いメンテナンス項目を一画面上で一度に確認することができる。これにより、必要なメンテナンスを漏れなく、効率よく実行可能となる。【００５９】
図８は、図７で、時刻並び替え表示４０１で並び替えた有効期限切れ時刻状態３２１をまとめて実行するための画面（メンテナンス実行スケジュール画面）５０１を示す図である。図７で、並べ替えが終了した後に、メンテナンス時刻選択ボタン４１１を押下すると、図８に示す表示画面となる。図８に示す画面には、実行するモジュールの実行モジュール５１１、図７で選択したメンテナンス項目の実行メンテナンス５１２、実行メンテナンス時刻５１３が表示される。実行順は、ＡＵ１で（Ｉｎｃｕｂａｔｉｏｎ  Ｗａｔｅｒ  Ｅｘｃｈａｎｇｅ）、ＡＵ１で（Ｉｎｃｕｂａｔｉｏｎ  Ｂａｔｈ  Ｃｌｅａｎｉｎｇ）、ＡＵ１で（Ｓａｍｐｌｅ  Ｐｒｏｂｅ  Ｗａｓｈ）、ＩＳＥで（ＲＦＩＤ  Ｒｅａｄｅｒ  Ｃｈｅｃｋ）の順で行い、これらが、それぞれ、示されたモジュールで有効期限が切れたのが認識できる。図８に示した画面でＯＫボタン５１４を押下することにより、スケジュールされたメンテナンスが実行される。【００６０】
図９は、図３に示したステップＳ４の詳細動作フローチャートである。【００６１】
図８に示したように、行うべきメンテナンスを実行順に並び替えて表示し、操作者が実行ボタン５１４を押下すると。メンテナンス処理が開始される（ステップＳ１０〜Ｓ１２）。そして、メンテナンス状態が表示される（ステップＳ１３）。これは、現在実行中のメンテナンスについて、図８に示した項目の色表示を他の項目と区別した色で表示してもよいし、点滅状態とすることでその項目がメンテナンス処理中であることが明確となるようにすることもできる。【００６２】
ここで、メンテナンス処理には、自動分析装置が自動的に実行可能なものと、操作者が介入しなければならないものとがある。例えば、反応槽の清掃は、操作者による洗浄が必要である。また、反応容器の交換も操作者による作業が必要である。【００６３】
これらに対して、反応槽水交換、検体分注プローブの洗浄、ＩＳＥプローブの洗浄、ＲＦＩＤ読取装置のチェック、システム洗浄は、操作者の介入は不要である。【００６４】
このため、操作者の動作が必要な場合は、それを画面に操作者の動作要求を表示する（ステップＳ１４、Ｓ１５）。これは、例えば、図１０に示すように、反応槽の清掃が必要な場合は、反応槽の清掃が必要なことを示す表示７００を出力する。そして、反応槽の清掃が終了すると、操作者が処理終了ボタン７０１を押下する（ステップＳ１６）。【００６５】
そして、処理はステップＳ１７と進み、メンテンナンスが実行される。ステップＳ１４において、操作者の動作が不必要な場合は、ステップＳ１７に進む。【００６６】
図８に示した画面に挙げられたメンテナンスが終了していなければステップＳ１３に戻り、挙げられたメンテンナンスが全て終了すれば、処理は終了となる。【００６７】
図１１は、図６に示したモジュール表示３０２をモジュール単位で有効期限切れや有効期限切れ注意の優先順のモジュール並び替え表示６０１を示す図である。ＡＵ１を基準に並び替えることで、ＡＵ１でメンテナンス実行優先度が高いメンテナンス項目を確認することができる。モジュール表示３０２のモジュール名称を選択することで並び替えることができる。なお、並び替える順は、有効切れモジュール状態３２１の優先度が高いため、先頭に表示するようにする。そのつぎに、有効期限切れ注意モジュール状態３２２を並べる。【００６８】
これにより、ユーザは各モジュールの優先度が高いメンテナンス項目を確認することができ、ユーザは認識しやすくなる。なお、実行が必要なメンテナンスをまとめて実行できる。【００６９】
ＡＵ１で並び替えた画面で、モジュール選択ボタン６１１を選択（押下）することでメンテナンスのまとめ実行が可能となる。【００７０】
なお、好ましい例として、図６に示すように、正常モジュール状態、有効切れモジュール状態、有効期限切れ注意モジュール状態毎に印が異なるように表示させる例を示したが、単にメンテナンス項目が実施できるメンテナンス実行モジュール２１２であることを識別できる印を図６に表示させても良い。ユーザに対する注意喚起として有効期限切れ時刻状態３２１を識別表示や強調表示することで十分な場合があるためである。この場合には、操作者がメンテナンス項目を実施できるか否かを識別できる表示を表示する。そして、メンテナンス項目の表示順序を、上述した表示（印）に基づき並べ替えて表示部１８に表示させることができる。この場合であっても、図１１のように、モジュール名称を選択することで、メンテナンス項目が実施できるものを上方に表示するようメンテナンス項目を並び替えることができる。このようにすることで、特定のモジュールに対して実施することができるメンテナンス項目を基準として有効期限切れ時刻状態３２１などの各メンテナンス項目の状態をユーザは識別することができる。この場合には、優先度別に並び替えられなくとも日付順に並べて表示させても良いが、さらに有効期限切れ時刻状態３２１を集約するように並び替えを行えるようにすることが望ましい。【００７１】
なお、図１１では「ＡＵ１」で並び替える例を示しているが「ＡＵ２」や「ＩＳＥ」でも同様にモジュール名称を選択することで、メンテナンス項目が実施できるものを上方に表示するようメンテナンス項目を並び替えることができる。【００７２】
図１２は、図１１で、並び替えたメンテナンスをまとめて実行する画面である。図８で示した同様に、ＯＫボタンを押下により、スケジュールされたメンテナンスが実行される。【００７３】
図１３は、モジュール表示３０２で並び替えたメンテナンスをＰｉｐｅとして実行する画面である。【００７４】
図６のメンテナンス項目表示３０３で選択したメンテナンス項目、（Ｉｎｃｕｂａｔｉｏｎ  Ｗａｔｅｒ  Ｅｘｃｈａｎｇｅ）、（Ｉｎｃｕｂａｔｉｏｎ  Ｂａｔｈ  Ｃｌｅａｎｉｎｇ）、（Ｓａｍｐｌｅ  Ｐｒｏｂｅ  Ｗａｓｈ）を選択し、並び替え表示し、パイプボタン８０１を選択すると、図１４に示す画面が表示される。【００７５】
図１４は、メンテナンスが実行できるスケジュールと、パイプ設定とを表示する画面を示す図である。パイプ設定には、自動分析装置に電源を投入した後の、立上げ時に、スケジュールされたメンテナンス項目を実行するにはＰｏｗｅｒ  Ｕｐを選択する。反対に自動分析装置の電源を遮断して立ち下げる時に、スケジュールされたメンテナンス項目を実行するには、Ｐｏｗｅｒ  Ｄｏｗｎを選択しＯＫボタンを押下する。【００７６】
これにより、ユーザは有効期限切れまたは有効期限切れ注意項目を自動で実行できるようにパイプとして設定することで確実なメンテナンスを行うことができる。【００７７】
ただし、電源投入や遮断が自動的に行われるように設定する場合、操作者が自動分析装置の近辺には存在しない場合がある。このような場合は、操作者が介入不要のメンテナンス項目のみパイプ処理できるように設定することも可能である。【００７８】
以上のように、本発明によれば、必要なメンテンナンスを漏れなく、効率よく実行可能な自動分析装置を実現することができる。実行すべきメンテナンス項目の優先順位を設定可能であり、かつ、メンテナンスの実行に操作者が介入する必要があるときは、それをサポートし、必要なメンテンナンスを漏れなく、効率よく実行可能な自動分析装置を実現することができる。【００７９】
また、実行すべきメンテナンス項目を自動分析装置の電源投入時に実行するか、電源遮断時に実行するかを選択して設定可能であるので、自働分析装置の通常運転時間以外に、自動的に必要なメンテナンス項目を適切な順序で実行することができる。【００８０】
なお、複数の動作モジュールを有する自動分析の各動作モジュールについての各動作機構部のメンテナンス予定表示及びメンテナンス実行について記載したが、複数の動作モジュールを備えていない自動分析装置についても、本発明は適用可能である。その場合は、図６に示した画面表示は、例えば、ＡＵ１のみの各動作機構（検体搬送機構２、試薬搬送機構２６、反応容器搬送機構９、検体分注機構５、試薬分注機構８、バーコード読取装置２３、２８、光源１４、多波長分光器１５、攪拌機構１３等）についてのメンテナンスの表示となる。【００８１】
また、上述した例におけるメンテナンス項目以外の項目についても、本発明は適用可能であり、検体搬送機構２、試薬搬送機構２６、反応藩を有する反応容器搬送機構９、検体分注機構５、及び試薬分注機構８に関するメンテナンスに適用することができる。【００８２】
また、図４に示したような複数のモジュールを有する自動分析装置は、反応容器を搬送する反応容器搬送機構、試薬容器搬送機構、反応容器に検体を分注する検体分注機構、及び反応容器に試薬を分注する試薬分注機構を有する分析モジュールを複数備え、かつ、動作制御部、表示部、操作入力部、及び検体容器搬送機構を備えることにより自動分析装置として成立するものである。
【符号の説明】
【００８３】
１・・・検体容器、２・・・検体搬送ディスク（検体容器搬送機構）、３・・・マイクロコンピュータ（動作制御部）、４・・・インターフェイス、５・・・検体分注機構、６・・・反応容器、７・・・検体用シリンジポンプ、８・・・試薬分注機構、９・・・反応容器搬送機構、１０・・・恒温液供給部、１１・・・試薬用シリンジポンプ、１２・・・試薬ボトル（試薬容器）、１３・・・撹拌機構、１４・・・多波長光度計の光源、１５・・・多波長分光器、１６・・・Ａ／Ｄコンバータ、１７・・・反応テーブル、１８・・・ＣＲＴ、１９・・・洗浄機構、２１・・・キーボード、２２・・試薬バーコードラベル、２３、２８・・・バーコード読取装置、２４・・・ＵＳＢ、２５・・・メモリ（記憶部）、２６・・・試薬ディスク（試薬搬送機構）、２７・・・プリンタ、５０・・・検体バーコードラベル、２０１・・・メンテナンス選択画面、２０２・・・実行対象モジュール、２１１・・・メンテナンス項目、２１２・・・メンテナンス実行モジュール、２１３・・・メンテナンス実行時刻、２１４・・・メンテナンス有効期限、２１５・・・メンテナンス有効期限切れ時刻、３０１・・・メンテナンス画面、３０２・・・モジュール表示、３０３・・・メンテナンス項目表示、３０４・・・メンテナンス実施時刻表示、３０５・・・システム現在時刻、３１１・・・正常モジュール状態、３１２・・・有効切れモジュール状態、３１３・・・有効期限切れ注意モジュール状態、３２１・・・有効期限切れ時刻状態、３２２・・・有効期限切れ注意時刻状態、３２３・・・正常時刻状態、４０１・・・メンテナンス実施時刻表示、４１１・・・メンテナンス時刻選択ボタン、５０１…メンテナンス実行スケジュール画面、５１１・・・実行モジュール、５１２・・・実行メンテナンス、５１３・・・実行メンテナンス時刻、６０１・・・モジュール並び替え表示、６１１・・・モジュール選択ボタン、７００・・・反応槽の清掃が必要なことを示す表示、７０１・・・処理終了ボタン、８０１・・・パイプボタン、Ｓ１〜Ｓ８、Ｓ１０〜Ｓ１８・・・処理ステップ
【図１】
2019111790.tif 000003
【図２Ａ】
2019111790.tif 000004
【図２Ｂ】
2019111790.tif 000005
【図３】
2019111790.tif 000006
【図４】
2019111790.tif 000007
【図５】
2019111790.tif 000008
【図６】
2019111790.tif 000009
【図７】
2019111790.tif 000010
【図８】
2019111790.tif 000011
【図９】
2019111790.tif 000012
【図１０】
2019111790.tif 000013
【図１１】
2019111790.tif 000014
【図１２】
2019111790.tif 000015
【図１３】
2019111790.tif 000016
【図１４】
2019111790.tif 000017
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
検体容器を搬送する検体容器搬送機構と、
試薬容器を搬送する試薬容器搬送機構と、
反応槽を有し、反応容器を搬送する反応容器搬送機構と、
検体を上記反応容器に分注する検体分注機構と、
試薬を上記反応容器に分注する試薬分注機構と、
表示部と、
操作入力部と、
メモリと、
上記検体容器搬送機構、上記試薬容器搬送機構、上記反応容器搬送機構、上記検体分注機構、上記試薬分注機構を有する複数の分析モジュールと、
上記複数の分析モジュール及び上記表示部の動作を制御し、上記反応容器に収容された検体の分析を行う動作制御部と、
を備え、上記動作制御部は、上記分析モジュールのメンテナンス項目毎の有効期限及びメンテナンス項目毎の実行時刻を上記メモリに記憶し、上記有効期限に基づく実行優先度の識別表示と共に上記実行時刻を上記表示部に表示し、上記メンテナンス項目毎に上記複数の分析モジュールの各分析モジュールが実行できるメンテナンス項目かを操作者が識別できるよう印を付けて上記表示部に表示し、上記操作入力部から入力された操作者からの指示に従って、上記メンテナンス項目の表示順序を前記実行優先度に基づき並び替えて上記表示部に表示させることを特徴とする自動分析装置。
【請求項２】
請求項１に記載の自動分析装置において、
上記動作制御部は、上記表示部に表示されたメンテナンス項目の順序に従って、上記検体容器搬送機構、上記試薬容器搬送機構、上記反応容器搬送機構、上記検体分注機構、又は上記試薬分注機構を制御し、上記メンテナンス項目を実行させることを特徴とする自動分析装置。
【請求項３】
請求項２に記載の自動分析装置において、
上記動作制御部は、上記メンテナンス項目のうち、有効期限が過ぎたメンテナンス項目の表示方法は、他のメンテナンス項目の表示方法とは異なることを特徴とする自動分析装置。
【請求項４】
請求項３に記載の自動分析装置において、
上記動作制御部は、上記操作入力部から入力された操作者からの指示に従って、自動分析装置の立上げ時に上記メンテナンス項目を実行するか、または、自動分析装置の立ち下げ時に上記メンテナンス項目を実行することを特徴とする自動分析装置。
【請求項５】
請求項３に記載の自動分析装置において、
上記動作制御部は、上記メンテンナンス項目のうち、操作者の動作が必要な場合は、上記表示部に操作者の動作要求を表示することを特徴とする自動分析装置。
【請求項６】
（削除）
【請求項７】
請求項１、２、３、４及び５に記載の自動分析装置において、
上記動作制御部は、上記分析モジュール毎に、有効期限が過ぎたメンテナンス項目の表示方法を、他のメンテナンス項目の表示方法とは異ならせて上記表示部に表示させることを特徴とする自動分析装置。
【請求項８】
請求項１に記載の自動分析装置において、
上記動作制御部は、上記メンテナンス項目の表示順序を上記印に基づき並び替えて上記表示部に表示させることを特徴とする自動分析装置。
【請求項９】
請求項１に記載の自動分析装置において、
上記動作制御部は、複数の分析モジュールに共通の同一のメンテナンス項目に対し、上記有効期限及び上記実行時刻を分析モジュール毎に上記メモリに記憶することを特徴とする自動分析装置。
【請求項１０】
検体容器を搬送する検体容器搬送機構と、
試薬容器を搬送する試薬容器搬送機構と、
反応槽を有し、反応容器を搬送する反応容器搬送機構と、
検体を上記反応容器に分注する検体分注機構と、
試薬を上記反応容器に分注する試薬分注機構と、
表示部と、
操作入力部と、
メモリと、
上記検体容器搬送機構、上記試薬容器搬送機構、上記反応容器搬送機構、上記検体分注機構、上記試薬分注機構を有する複数の分析モジュールと、
上記複数の分析モジュール及び上記表示部の動作を制御し、上記反応容器に収容された検体の分析を行う動作制御部と、
を備え、上記動作制御部は、上記分析モジュールの複数のメンテナンス項目のそれぞれの有効期限及び実行時刻を上記メモリに記憶し、上記有効期限に基づく実行優先度の識別表示と共に上記実行時刻を上記表示部に表示し、上記複数の分析モジュールの名称と上記複数のメンテナンス項目とを縦横に並べて表示した表示領域に上記メンテナンス項目毎に上記複数の分析モジュールの各分析モジュールが実行できるメンテナンス項目かを操作者が識別できるよう印を付けて上記表示部に表示することを特徴とする自動分析装置。
【請求項１１】
請求項１０に記載の自動分析装置において、
上記動作制御部は、上記メンテナンス項目の表示順序を上記印に基づき並び替えて上記表示部に表示させることを特徴とする自動分析装置。
【請求項１２】
請求項１０に記載の自動分析装置において、
上記印は、上記分析モジュール毎の上記メンテナンス項目毎に、正常状態であるか、メンテナンス有効期限切れ注意か、又はメンテナンス有効期限経過状態かを示すことを特徴とする自動分析装置。
【国際調査報告】
2019111790.tif 000018
2019111790.tif 000019
2019111790.tif 000020
2019111790.tif 000021